(57)【要約】【課題】従来の２次元コードに代わる情報の記憶方法及び取得方法を提供することにある。【解決手段】第１透過率を有する第１領域と、前記第１透過率とは異なる第２透過率を有する第２領域とを備え、前記第２領域の位置、数又は形態の少なくとも１つに基づいて情報が記憶された情報記憶カードと、前記情報記憶カードに光を出力する発光手段と、前記情報記憶カードに対して前記発光手段と反対側に配置され、前記発光手段から前記情報記憶カードを透過する透過光を検出する光検出手段と、前記透過光の検出値に基づいて前記第２領域の位置、数又は形態の少なくとも１つを算出し、前記第２領域の位置、数又は形態の少なくとも１つに基づいて復号データを作成する制御手段と、を備える情報取得システム。【選択図】図１
2006185337.tif 000002
【特許請求の範囲】
【請求項１】
第１透過率を有する第１領域と、前記第１透過率とは異なる第２透過率を有する第２領域とを備え、前記第２領域の位置、数又は形態の少なくとも１つに基づいて符号化された情報が記憶された情報記憶カードと、
前記情報記憶カードに光を出力する発光手段と、
前記情報記憶カードに対して前記発光手段と反対側に配置され、前記発光手段から前記情報記憶カードを透過する透過光を検出する光検出手段と、
前記透過光の検出値に基づいて前記第２領域の位置、数又は形態の少なくとも１つを算出し、前記第２領域の位置、数又は形態の少なくとも１つに基づいて復号データを作成する制御部と、
を備える情報取得システム。
【請求項２】
前記復号データは、画像データ又は音声データを指定する指定情報であり、
前記情報取得システムは、前記指定情報と前記画像データ又は音声データとを記憶する記憶部をさらに備え、
前記制御部は、前記記憶部から前記指定情報に対応する画像データ又は音声データを読み出して表示部又は音声出力部に出力する、
請求項１に記載の情報取得システム。
【請求項３】
前記復号データはＵＲＬ情報を指定する指定情報であり、
前記情報取得システムは、通信部と、前記指定情報と前記ＵＲＬ情報とを対応付けて記憶する記憶部をさらに備え、
前記制御部は、前記記憶部から前記指定情報に対応するＵＲＬ情報を読み出し、前記通信部を介して前記ＵＲＬ情報で指定される接続先と通信し、所定の画像及び／又は音声データを取得して表示部及び／又は音声出力部に出力する、
請求項１に記載の情報システム。
【請求項４】
板状部材と、板状部材に形成された複数の穴部とを有し、前記複数の穴部の位置、数又は形態の少なくとも１つに基づいて符号化された情報が記憶された情報記憶カードと、
前記情報記憶カードに光を出力する発光手段と、
前記情報記憶カードに対して前記発光手段と反対側に配置され、前記発光手段から前記情報記憶カードを透過する透過光を検出する光検出手段と、
前記透過光の検出値に基づいて前記穴部の位置、数又は形態の少なくとも１つを算出し、前記穴部の位置、数又は形態の少なくとも１つに基づいて復号データを作成する制御部と、
を備える情報取得システム。
【請求項５】
第１透過率を有する第１領域と、前記第１透過率とは異なる第２透過率を有する第２領域とを備え、前記第２領域の位置、数又は形態の少なくとも１つに基づいて符号化された情報が記憶された情報記憶カードと、
前記情報記憶カードから情報を取得する情報取得装置であって、
開閉可能な第１筐体及び第２筐体と、
前記第１筐体に設けられた発光手段と、
前記第２筐体に設けられ、かつ前記第１筐体及び前記第２筐体が閉状態にある場合に前記発光手段と対向して配置され、前記情報記憶カードが設置される光検出手段と、
前記光検出手段により検出された光の検出値に基づいて前記第２領域の位置、数又は形態の少なくとも１つを算出し、前記第２領域の位置、数又は形態の少なくとも１つに基づいて復号データを作成する制御部とを備える情報取得装置と、
を備える情報取得システム。
【請求項６】
発光手段と光検出手段とに挟まれた状態で前記光検出手段からの出力により情報を取得する情報取得システムに用いられる情報記憶カードであって、
第１透過率を有する第１領域と、
前記第１透過率とは異なる第２透過率を有する第２領域であって、前記第２領域の位置、数又は形態の少なくとも１つに基づいて符号化された情報が記憶される前記第２領域と、
を備えた情報記憶カード。
【請求項７】
情報記憶カードから情報を取得する情報取得装置としてコンピュータを機能させるプログラムであって、
第１透過率を有する第１領域と、前記第１透過率とは異なる第２透過率を有する第２領域とを備え、前記第２領域の位置、数又は形態の少なくとも１つに基づいて符号化された情報が記憶された情報記憶カードに、発光手段の光を照射する手段と、
前記発光手段から前記情報記憶カードを透過した透過光を光検出手段が検出した検出値を取得する手段と、
前記検出値に基づいて前記第２領域の位置、数又は形態の少なくとも１つを算出し、前記第２領域の位置、数又は形態の少なくとも１つに基づいて復号データを作成する手段と、
してコンピュータを機能させるプログラム。
【請求項８】
第１反射率を有する第１領域と、前記第１反射率とは異なる第２反射率を有する第２領域とを備え、前記第２領域の位置、数又は形態の少なくとも１つに基づいて符号化された情報が記憶された情報記憶カードと、
前記情報記憶カードから情報を取得する情報取得装置であって、
開閉可能な第１筐体及び第２筐体であって、前記情報記憶カードから情報を取得する際に前記情報記憶カードを挟む前記第１筐体及び前記第２筐体と、
前記第１筐体又は前記第２筐体に設けられた発光手段と、
前記発光手段が設けられた前記第１筐体又は前記第２筐体に設けられ、かつ前記第１筐体及び前記第２筐体が閉状態にある場合に、前記発光手段から前記情報記憶カードに照射した光の反射光を検出する光検出手段と、
前記光検出手段により検出された光の検出値に基づいて前記第２領域の位置、数又は形態の少なくとも１つを算出し、前記第２領域の位置、数又は形態の少なくとも１つに基づいて復号データを作成する制御部とを備える情報取得装置と、
を備える情報取得システム。
【発明の詳細な説明】
【技術分野】
【０００１】
本発明は、情報取得システム、特に、カードに記憶された情報を取得するための情報取得システムに関する。
【背景技術】
【０００２】
従来から、所定の情報を記憶可能なシステムとして、バーコードシステムが普及している。バーコードは、太さの異なる黒色の棒状部と、空白部分の組み合わせによって、情報を符号化したものであり、該コードをスキャナで光学的に読み取って、符号化された情報を復号することによって、バーコードに符号化する前の情報を取得することが可能となる。該バーコードシステムを使用して符号化される情報量を増加させるためには、バーコードの桁数を増加させる必要が生じる。しかし、桁数の増加によってバーコード配列が長くなり、スキャナによる読み取りが困難になる等の問題が発生する。現在、こうした問題を解決すべく、バーコードに代わる情報の符号化システムとして、複数の黒色の矩形セルが所定の配列規則に従って２次元配置された２次元コードシステムが普及し始めている。２次元コードは、例えばビデオカメラ等の光学機器によって読み取りが可能である。
【発明の開示】
【発明が解決しようとする課題】
【０００３】
上記のような２次元コードシステムにおいて情報量を増加させる場合にも、矩形セルの配列面積を増加する必要がある。一般に携帯電話機等の小型情報端末では、赤外線ユニットを搭載しており、この赤外線ユニットからの赤外線の照射によって２次元コードを取得する。しかしながら、矩形セルの配列面積が大きくなると、赤外線ユニットからの赤外線を矩形セル部分に一度に照射することができなくなり、情報の読み取りが困難になる。
【０００４】
本発明の目的は、従来の２次元コードに代わる情報の記憶方法及び取得方法を提供することにある。
【課題を解決するための手段】
【０００５】
第１発明に係る情報取得システムは、情報記憶カードと、発光手段と、光検出手段と、制御部とを備えている。情報記憶カードは、第１透過率を有する第１領域と、前記第１透過率とは異なる第２透過率を有する第２領域とを備え、前記第２領域の位置、数又は形態の少なくとも１つに基づいて符号化された情報が記憶されている。発光手段は、前記情報記憶カードに光を出力する。光検出手段は、前記情報記憶カードに対して前記発光手段と反対側に配置され、前記発光手段から前記情報記憶カードを透過する透過光を検出する。制御部は、前記透過光の検出値に基づいて前記第２領域の位置、数又は形態の少なくとも１つを算出し、前記第２領域の位置、数又は形態の少なくとも１つに基づいて復号データを作成する。
【０００６】
この情報取得システムでは、情報記憶カードにおいて異なる透過率の領域を利用して情報を記憶する。情報の記憶は、第２領域の位置、数又は形態の少なくとも１つに基づいて行われる。第２領域の形態は、例えば、第２領域の大きさ、色、形状、模様である。この情報システムによれば、第２領域の位置、数又は形態の少なくとも１つに基づいて情報を簡易に記憶することができる。この情報取得システムでは、情報記憶カードを発光手段及び光検出部と略同一の形状及び大きさに構成することができ、情報記憶カードにおける情報記憶面積が大きくなった場合にも、情報を容易に読み取ることができる。
【０００７】
また、この情報取得システムは、第１発明に係る情報取得システムにおいて、前記第２領域の形態は、前記第２領域の大きさを含む。
【０００８】
この情報取得システムでは、情報記憶カードへの情報の記憶において、第２領域の形態として大きさを用いる。第２領域の位置及び／又は数と、大きさとを組み合わせることにより、情報記憶密度を向上させることができる。
【０００９】
また、この情報取得システムは、第１発明に係る情報取得システムにおいて、前記第２領域の形態は、前記第２領域の色を含む。
【００１０】
この情報取得システムでは、情報記憶カードへの情報の記憶において、第２領域の形態として色を用いる。第２領域の位置及び／又は数と、色とを組み合わせることにより、情報記憶密度を向上させることができる。
【００１１】
また、この情報取得システムは、第１発明に係る情報取得システムにおいて、前記復号データは、画像データ又は音声データであり、前記制御部は、前記画像データ又は音声データを表示部又は音声出力部に出力する。
【００１２】
この情報取得システムによれば、情報記憶カードに画像データ又は音声データが含まれていた場合に、画像データ又は音声データを自動的に出力するので、ユーザが、情報記憶カードに記憶されている情報を容易に認識できる。
【００１３】
第２発明に係る情報取得システムは、第１発明に係る情報取得システムにおいて、前記復号データは、画像データ又は音声データを指定する指定情報である。また、前記情報取得システムは、前記指定情報と前記画像データ又は音声データとを記憶する記憶部をさらに備える。また、前記制御部は、前記記憶部から前記指定情報に対応する画像データ又は音声データを読み出して表示部又は音声出力部に出力する。
【００１４】
この情報取得システムによれば、情報記憶カードに画像データ又は音声データを指定する指定情報のみを記憶しておけば良いので、情報記憶カードに記憶した情報により大量の画像データ又は音声データを指定できるようになる。また、この情報取得システムによれば、情報記憶カードの情報に基づいて、画像データ又は音声データを自動的に出力するので、ユーザが、情報記憶カードに記憶されている情報を容易に認識できる。
【００１５】
また、この情報取得システムは、第１発明に係る情報取得システムにおいて、前記復号データはＵＲＬ情報であり、前記情報取得システムは、通信部をさらに備える。また、前記制御部は、通信部を介して前記ＵＲＬ情報で指定される接続先と通信し、所定の画像及び／又は音声データを取得して表示部及び／又は音声出力部に出力する。
【００１６】
この情報取得システムによれば、情報記憶カードにＵＲＬ情報が含まれていた場合に、ＵＲＬ情報が指定する場所にある画像及び／又は音声データを自動的に出力するので、ユーザが、情報記憶カードに記憶されている情報を容易に認識できる。
【００１７】
第３発明に係る情報取得システムは、第１発明に係る情報取得システムにおいて、前記復号データはＵＲＬ情報を指定する指定情報である。また、前記情報取得システムは、通信部と、前記指定情報と前記ＵＲＬ情報とを対応付けて記憶する記憶部をさらに備える。また、前記制御部は、前記記憶部から前記指定情報に対応するＵＲＬ情報を読み出し、前記通信部を介して前記ＵＲＬ情報で指定される接続先と通信し、所定の画像及び／又は音声データを取得して表示部及び／又は音声出力部に出力する。
【００１８】
この情報取得システムによれば、情報記憶カードに記憶されている指定情報を更新しなくても、記憶部のＵＲＬ情報を更新することより、情報記憶カードの指定情報に基づく情報を最新状態に保つことができる。また、情報記憶カードにＵＲＬ情報が含まれていた場合に、ＵＲＬ情報が指定する場所にある画像及び／又は音声データを自動的に出力するので、ユーザが、情報記憶カードに記憶されている情報を容易に認識できる。
【００１９】
第４発明に係る情報取得システムは、情報記憶カードと、発光手段と、光検出手段と、制御部とを備えている。情報記憶カードは、板状部と、板状部に形成された複数の穴部とを有し、前記複数の穴部の位置、数又は形態の少なくとも１つに基づいて符号化された情報が記憶されている。発光手段は、前記情報記憶カードに光を出力する。光検出手段は、前記情報記憶カードに対して前記発光手段と反対側に配置され、前記発光手段から前記情報記憶カードを透過する透過光を検出する。制御部は、前記透過光の検出値に基づいて前記穴部の位置、数又は形態の少なくとも１つを算出し、前記穴部の位置、数又は形態の少なくとも１つに基づいて復号データを作成する。
【００２０】
この情報取得システムでは、情報記憶カードにおいて異なる透過率の領域を利用して情報を記憶する。情報の記憶は、穴部の位置、数又は形態の少なくとも１つに基づいて行われる。穴部の形態は、例えば、穴部の大きさ、色、形状、模様である。この情報取得システムによれば、穴部の位置、数又は形態の少なくとも１つに基づいて情報を簡易に記憶することができる。
第５発明に係る情報取得システムは、情報記憶カードと、情報取得装置とを備えている。情報記憶カードは、第１透過率を有する第１領域と、前記第１透過率とは異なる第２透過率を有する第２領域とを備え、前記第２領域の位置、数又は形態の少なくとも１つに基づいて符号化された情報が記憶されている。情報取得装置は、前記情報記憶カードから情報を取得する。情報取得装置は、開閉可能な第１筐体及び第２筐体と、前記第１筐体に設けられた発光手段と、光検出手段と、制御部とを備えている。光検出手段は、前記第２筐体に設けられ、かつ前記第１筐体及び前記第２筐体が閉状態にある場合に前記発光手段と対向して配置され、前記情報記憶カードが設置される。制御部は、前記光検出手段により検出された光の検出値に基づいて前記第２領域の位置、数又は形態の少なくとも１つを算出し、前記第２領域の位置、数又は形態の少なくとも１つに基づいて復号データを作成する。
【００２１】
この情報取得システムでは、情報記憶カードにおいて異なる透過率の領域を利用して情報を記憶する。情報の記憶は、第２領域の位置、数又は形態の少なくとも１つに基づいて行われる。第２領域の形態は、例えば、第２領域の大きさ、色、形状、模様である。この情報システムによれば、第２領域の位置、数又は形態の少なくとも１つに基づいて情報を簡易に記憶することができる。また、この情報取得システムでは、情報記憶カードを第１筐体及び第２筐体で挟んだ状態で、発光手段及び光検出手段により情報記憶カードの透過光を検出するので、外光の影響を受けにくく、情報記憶カードに記憶されている情報を確実に取得することができる。
【００２２】
第６発明に係る情報記憶カードは、発光手段と光検出手段とに挟まれた状態で前記光検出手段からの出力により情報を取得する情報取得システムに用いられる情報記憶カードであって、第１透過率を有する第１領域と、前記第１透過率とは異なる第２透過率を有する第２領域であって、前記第２領域の位置、数又は形態の少なくとも１つに基づいて符号化された情報が記憶される前記第２領域と、を含む。
【００２３】
この情報記憶カードでは、異なる透過率の領域を利用して情報を記憶する。情報の記憶は、第２領域の位置、数又は形態の少なくとも１つに基づいて行われる。第２領域の形態は、例えば、第２領域の大きさ、色、形状、模様である。この情報記憶カードによれば、第２領域の位置、数又は形態の少なくとも１つに基づいて情報を簡易に記憶することができる。
【００２４】
また、この情報記憶カードは、第６発明に係る情報記憶カードにおいて、前記第２領域の形態は、前記第２領域の大きさを含む。
【００２５】
情報記憶カードへの情報の記憶において、第２領域の形態として大きさを用いる。第２領域の位置及び／又は数と、大きさとを組み合わせることにより、情報記憶密度を向上させることができる。
【００２６】
また、この情報記憶カードは、第６発明に係る情報記憶カードにおいて、前記第２領域の形態は、前記第２領域の色を含む。
【００２７】
情報記憶カードへの情報の記憶において、第２領域の形態として色を用いる。第２領域の位置及び／又は数と、色とを組み合わせることにより、情報記憶密度を向上させることができる。
【００２８】
第７発明に係るプログラムは、情報記憶カードから情報を取得する情報取得装置としてコンピュータを機能させるプログラムに関する。このプログラムは、第１透過率を有する第１領域と、前記第１透過率とは異なる第２透過率を有する第２領域とを備え、前記第２領域の位置、数又は形態の少なくとも１つに基づいて符号化された情報が記憶された情報記憶カードに、発光手段の光を照射する手段と、前記発光手段から前記情報記憶カードを透過した透過光を光検出手段が検出した検出値を取得する手段と、前記検出値に基づいて前記第２領域の位置、数又は形態の少なくとも１つを算出し、前記第２領域の位置、数又は形態の少なくとも１つに基づいて復号データを作成する手段と、してコンピュータを機能させる。
【００２９】
また、このプログラムは、第７発明に係るプログラムにおいて、前記第２領域の形態は、前記第２領域の大きさを含む。
【００３０】
また、このプログラムは、第７発明に係るプログラムにおいて、前記第２領域の形態は、前記第２領域の色を含む。
【００３１】
第８発明に係る情報取得システムは、情報記憶カードと、情報取得装置とを備えている。情報記憶カードは、第１反射率を有する第１領域と、前記第１反射率とは異なる第２反射率を有する第２領域とを備え、前記第２領域の位置、数又は形態の少なくとも１つに基づいて符号化された情報が記憶されている。情報取得装置は、前記情報記憶カードから情報を取得する情報取得装置であって、第１筐体及び第２筐体と、発光手段と、光検出手段と、制御部とを備えている。第１及び第２筐体は、開閉可能であり、前記情報記憶カードから情報を取得する際に前記情報記憶カードを挟む。発光手段は、前記第１筐体又は前記第２筐体に設けられている。光検出手段は、前記発光手段が設けられた前記第１筐体又は前記第２筐体に設けられ、かつ前記第１筐体及び前記第２筐体が閉状態にある場合に、前記発光手段から前記情報記憶カードに照射した光の反射光を検出する。制御部は、前記光検出手段により検出された光の検出値に基づいて前記第２領域の位置、数又は形態の少なくとも１つを算出し、前記第２領域の位置、数又は形態の少なくとも１つに基づいて復号データを作成する。
【００３２】
この情報取得システムでは、情報記憶カードにおいて異なる反射率の領域を利用して情報を記憶する。情報の記憶は、第２領域の位置、数又は形態の少なくとも１つに基づいて行われる。第２領域の形態は、例えば、第２領域の大きさ、色、形状、模様である。この情報システムによれば、第２領域の位置、数又は形態の少なくとも１つに基づいて情報を簡易に記憶することができる。また、この情報取得システムでは、情報記憶カードを第１筐体及び第２筐体で挟んだ状態で、発光手段及び光検出手段により情報記憶カードの反射光を検出するので、外光の影響を受けにくく、情報記憶カードに記憶されている情報を確実に取得することができる。
【発明の効果】
【００３３】
本発明によれば、情報記憶面積が大きくなった場合にも、容易に読み取り可能な情報取得システムを提供することができる。
【発明を実施するための最良の形態】
【００３４】
（１）第１実施形態
[全体構成]
図１は、本実施形態に係る情報取得システム１００の斜視図である。図２は、本実施形態に係る情報取得システム１００の概略ブロック図である。
【００３５】
この情報取得システム１００は、後述する穴部１０１ｂによって情報が記憶されたカード１０１と、カード１０１から情報を取得する電子機器１０２とを備えている。
【００３６】
電子機器１０２は、図１に示すように、第１筐体１０３と、第２筐体１０４とを備えている。第１筐体１０３及び第２筐体１０４は、略矩形状の板状部で構成されている。第１筐体１０３及び第２筐体１０４は、開閉自在に固定されている。図１（ａ）及び（ｂ）は、電子機器１０２が開状態にある場合、即ち、第１筐体１０３及び第２筐体１０４が開状態にある場合を図示している。図１（ｃ）は、電子機器１０２が閉状態にある場合、即ち、第１筐体１０３及び第２筐体１０４が閉状態にある場合を図示している。
【００３７】
また、電子機器１０２は、図２に示すように、第１表示部１０５と、第２表示部１０６と、光感知パネル１０７と、操作キー１０８と、電源部１０９と、スピーカ１１０と、マイク１１１と、ＣＰＵ１１２と、メモリ１１３と、インターフェース１１４と、リアルタイムクロック１１５と、通信ユニット１１６と、開閉センサ１１７とを備えている。
【００３８】
第１表示部１０５、第２表示部１０６、光感知パネル１０７、操作キー１０８、電源部１０９、スピーカ１１０、マイク１１１、ＣＰＵ１１２、メモリ１１３、インターフェース１１４、リアルタイムクロック１１５、通信ユニット１１６、及び開閉センサ１１７は、バスに接続されている。
【００３９】
第１表示部１０５は、第１筐体１０３の面のうち、電子機器１０２が閉状態にある場合に内側となる内側面に配置されている。第１表示部１０５は、ＬＣＤ、有機ＥＬ等で構成されており、ＣＰＵ１１２の制御により所定の画像を出力する。
【００４０】
第２表示部１０６は、第２筐体１０４の面のうち、電子機器１０２が閉状態にある場合に内側となる内側面に配置されている。第２表示部１０６は、ＬＣＤ、有機ＥＬ等で構成されており、ＣＰＵ１１２の制御により所定の画像を出力する。第２表示部１０６は、第１表示部１０５と平面視において略同一の形状及び大きさで形成されている。
【００４１】
図３は、第１実施形態に係る光感知パネルの配置を示す斜視図である。図４は、本実施形態に係る光感知パネル１０７の概略平面図である。
【００４２】
光感知パネル１０７は、第１表示部１０５及び第２表示部１０６と平面視において略同一の形状及び大きさで形成されている。光感知パネル１０７は、図３に示すように、第２表示部１０６上に重ねて配置されており、光感知パネル１０７を介して第２表示部１０６を視認可能な程度の透過率を有する。
【００４３】
光感知パネル１０７は、図４に示すように、走査電極Ｓ（Ｓ１・・Ｓｍ）と、データ電極Ｇ（Ｇ１・・Ｇｎ）と、データ電極Ｇと走査電極Ｓに接続された受光センサ回路９１とを備えている。受光センサ回路９１は、データ電極Ｇと走査電極Ｓとの交差部に形成されるセルＰ（Ｐ１１・・Ｐｍｎ）ごとに配置されている。各受光センサ回路９１は、光センサと、スイッチとを備えている。光センサは、フォトダイオード等で構成され、受光した光の強度に対応する電気信号を出力する。スイッチは、走査電極Ｓに走査信号が印加された場合に、光センサとデータ電極Ｇとを電気的に接続する。
【００４４】
この光感知パネル９では、受光センサ回路９１のスイッチを駆動する走査信号を各走査電極Ｓ（Ｓ１・・Ｓｍ）に順次印加することにより、走査信号が印加された走査電極Ｓに接続された光センサ回路９１においてスイッチがオンされ、光センサの検出値がデータ電極Ｇに出力される。したがって、ＣＰＵ１１２の制御により、各走査電極Ｓに走査信号を順次印加して各データ電極Ｇからの出力をメモリ１１３に記憶することにより、各セルＰにおける光の受光強度を検出することができる。
【００４５】
図５（ａ）は、本実施形態に於ける光感知パネル１０７のセルＰの配置を示す図であり、光センサを受光したセルを黒塗りで表現している。同図（ｂ）は、光感知パネル１０７のセルの座標（Ｐ１１・・Ｐｍｎ）である。同図（ｃ）は、光感知パネル１０７の各セルＰ１１〜Ｐｍｎの検出値を示す座標データである。ここで、Ｐｘｙ（ｘ＝１，・・，ｍ，ｙ＝１，・・，ｎ）は、ｘ行ｙ列のセルの座標を表すものとする。従って、同図（ｃ）における第１行第１列の値は、セルＰ１１の値を表している。
【００４６】
本実施形態では、光感知パネル１０７の各セルＰの光センサで検出された値（以下検出値という）は、ＣＰＵ１１２において所定の閾値と比較され、検出値が閾値以上である場合には当該セルＰに「１」を割り当て、検出値が閾値未満の場合には当該セルＰに「０」を割り当てる。例えば、図５（ａ）の黒塗部分に示すように、セルＰ２２で検出値が閾値以上であった場合には、図５（ｃ）に示すようにセルＰ２２に「１」が割り当てられ、検出値が閾値未満のセルＰには「０」が割り当てられる。
【００４７】
操作キー１０８は、十字キーや上下左右キー等の複数のキーを備えており、ユーザからの入力を受け付けてその入力結果をＣＰＵ１１２に出力する。電源部１０９は、充電式の電池等の蓄電手段、電源回路を含んで構成され、電子機器１０２の各部に電力を供給する。スピーカ１１０は、ＣＰＵ１１２の制御によって、所定の音声を出力する。マイク１１１は、外部音声に所定の処理を施してデジタル信号に変換し、ＣＰＵ１１２に出力する。
【００４８】
メモリ１１３は、所定の情報を予め記憶する不揮発性メモリ（例えばＲＯＭ、フラッシュメモリ）や、所定の情報を一時的に記憶する揮発性メモリ（例えば、ＲＡＭ）で構成されている。インターフェイス１１４は、外部メモリである記録媒体１１４ａとＣＰＵ１１２等の内部回路とのインターフェースである。ＣＰＵ１１２は、インターフェース１１４を介して記録媒体１１４ａに記憶された情報を取得する。リアルタイムクロック１１５は、時刻を計時する時計機能、年、月、日、曜日を計時するカレンダ機能、及び、所定の時間の長さを計測するカウンタ機能を備えている。通信ユニット１１６は、ＣＰＵ１１２の制御により、インターネット等のネットワークに接続可能な通信装置である。開閉センサ１１７は、電子機器１０２の開閉状態、即ち、第１筐体１０３と第２筐体１０４との開閉状態を検出する。開閉センサ１１７は、第１筐体１０３と第２筐体１０４とが閉状態となった場合に、所定のレベルの検出信号を出力する。
【００４９】
ＣＰＵ１１２は、バスを介して操作キー１０８、開閉センサ１１７からの入力を受け付ける。また、ＣＰＵ１１２は、第１表示部１０５、第２表示部１０６、光感知パネル１０７、電源部１０９、スピーカ１１０、マイク１１１、メモリ１１３、インターフェース１１４、リアルタイムクロック１１５、通信ユニット１１６をバスを介して制御する。
【００５０】
［カードの構成］
図６は、本実施形態に係るカード１０１の斜視図である。
【００５１】
カード１０１は、板状部１０１ａと、板状部１０１ａに形成された複数の穴部１０１ｂとを備えている。板状部１０１ａは、樹脂形成等により形成されており、光を殆ど透過しない材料により構成されている。板状部１０１ａは、第１面１０１ｃと、第１面１０１ｃと対向する第２面１０１ｄとを有している。第２面１０１は、カード１０１からの情報取得（以下、カード情報取得という）の際に、光感知パネル１０７に対向して配置される。穴部１０１ｂは、平面視略円形状であり、板状部１０１ａの第１面１０１ｃから第２面１０１ｄに亘って貫通して形成されている。このカード１０１は、穴部１０１ｂにおいて第１面１０１ｃと第２面１０１ｄとの間で光を透過させるが、穴部１０１ｂ以外の板状部１０１ａの部分では光を透過させない。なお、穴部１０１ｂの形状は、平面視略円形状に限らず、任意の形状で形成することができる。
【００５２】
板状部１０１ａは、所定のエリア１０１ｅに分割されており、各穴部１０１ｂは、所定のエリア１０１ｅごとに形成されている。なお、各エリア１０１ｅ内に穴部１０１ｂが必ずしも形成される必要はない。本実施形態では、エリア１０１ｅが光感知パネル１０７のセルＰと一対一に対応するように構成されている。
【００５３】
図７は、本実施形態に係るカード１０１からの情報の取得原理を説明する説明図である。同図に示すように、板状部１０１ａ（穴部１０１ｂ以外の領域）では、第１表示部１０５から出力される光は、板状部１０１ａに殆ど反射され、光感知パネル１０７の対応するセルでは光が殆ど検出されず、「０」が割り当てられる。一方、穴部１０１ｂでは、第１表示部１０５からの光が穴部１０１ｂを透過して、光感知パネル１０７の対応するセルでは光が良好に検出され、「１」が割り当てられる。
【００５４】
このカード１０１では、各エリア１０１ｅにおける穴部１０１ｂの有無、即ち、穴部１０１ｂの位置及び数に基づいて符号化した情報を記憶する。言い換えれば、穴部１０１ｂが形成されたエリア１０１ｅでは、穴部１０１ｂを介して第１面１０１ｃ側から入射する光が第２面１０１ｄ側に透過し（透過率が大きいエリア）、穴部１０１ｂが形成されていないエリア１０１ｅでは第１面１０１ｃ側から入射する光は板状部１０１ａに遮断されて第２面１０１ｄ側に殆ど透過しない（透過率が小さいエリア）。このように、本実施形態では、カード１０１上の透過率の異なる領域における光の透過率の差異に基づいて、カード１０１に情報を記憶し、カード１０１から情報を取得する。
【００５５】
また、本実施形態では、板状部１０１ａの第２面１０１ｄを光感知パネル１０７に対向するように設置してカード１０１から情報を取得する構成とする。このため、板状部１０１ａの第１面１０１ｃと第２面１０１ｄとは、ユーザが区別して視認できるように構成されている。例えば、「この面を下にして設置して下さい」等の文字、星印等の記号を第２面１０１ｄに設ける。また、第１面１０１ｃと第２面１０１ｄの色を互いに異なるようにしても良い。
【００５６】
カード１０１からの情報の取得は、カード１０１の第２面１０１ｄを光感知パネル１０７上に設置し、その状態で第１筐体１０３と第２筐体１０４とを図１（ｃ）に示す閉状態にする。そして、第１表示部１０５を発光させて、第１表示部１０５から出力される光をカード１０１の穴部１０１ｂを介して光感知パネル１０７で検出する。このようにして、光感知パネル１０７によって、カード１０１の穴部１０１ｂの座標データを取得し、座標データから得られる穴部１０１ｂの位置及び数に基づいて、カード１０１に記憶された情報を復号する。
【００５７】
［情報取得方法］
図８及び図９は、本実施形態に係る情報取得方法に関するフローチャートである。
【００５８】
以下の処理は、電子機器１０２のメモリ１１３に記憶されている情報取得プログラムをＣＰＵ１１２が実行することにより行われる。なお、情報取得プログラムは、記録媒体１１４ａに記憶されている場合もあり、通信ユニット１１６によりネットワーク上から取得される場合もある。
【００５９】
操作キー１０８からカード情報読み取りモードの切り替えを入力した後、図１（ｂ）に示すようにカード１０１を電子機器１０２の光感知パネル１０７上に設置し、電子機器１０２を図１（ｃ）に示す閉状態にすると、電子機器１０２は、カード１０１からの情報の取得を開始する。なお、カード１０１は、第２面１０１ｄが光感知パネル１０７に対向するように設置する。
【００６０】
ステップＳ１０１に於いて、ＣＰＵ１１２は、操作キー１０８からカード情報取得モードへの切り替えを受け付けたか否かを判別する。ＣＰＵ１１２は、カード情報取得モードへの切り替えを受け付けた場合にはステップＳ１０２に移行する。ＣＰＵ１１２は、カード情報取得モードへの切り替えを受け付けていない場合にはステップＳ１０１の処理を繰り返す。
【００６１】
ステップＳ１０２に於いて、ＣＰＵ１１２は、カード１０１の光感知パネル１０７上への設置を指示する指示画像を第２表示部１０６に出力する。この指示画像は、例えば、「カードをここに置いて下さい」等である。指示画像は、第１表示部１０５に出力しても良い。この場合の指示画像は、例えば、「カードを下の画面上に置いて下さい」等である。
【００６２】
ステップＳ１０３に於いて、ＣＰＵ１１２は、電子機器１０２が図１（ｃ）に示す閉状態になったか否かを判別する。ＣＰＵ１１２は、開閉センサ１１７からの検出信号を受信していない場合には、電子機器１０２が開状態であるとして、ステップＳ１０１に移行する。一方、ステップＳ１０２の表示を受けて、ユーザがカード１０１を光感知パネル１０７上に設置し、電子機器１０２を閉状態にすると、ＣＰＵ１１２は、開閉センサ１１７からの検出信号を受信する。このとき、ＣＰＵ１１２は、開閉センサ１１７からの検出信号を受信してステップＳ１０４に移行する。
【００６３】
ステップＳ１０４に於いて、ＣＰＵ１１２は、第１表示部１０５を発光させる。ＣＰＵ１１２は、例えば、第１表示部１０５の画面全体を白色で発光させる。第１表示部１０５の発光は、光感知パネル１０７の光センサで感知可能な輝度で発光させる限り、どのような表示色で発光させても良い。
【００６４】
ステップＳ１０５に於いて、ＣＰＵ１１２は、光感知パネル１０７から各セルＰに対する光センサの検出値を取得し、図５（ｃ）に示すような穴部１０１ｂの座標データを作成する。この座標データから穴部１０１ｂの位置及び数が得られる。
【００６５】
図１０は、ステップＳ１０５の処理を説明するフローチャートである。
【００６６】
ＣＰＵ１１２は、データ電極Ｓに走査信号を順次印加し（ステップＳ２０１）、データ電極Ｇから各セルに対する光センサの検出値を取得し（ステップＳ２０２）、セルＰ毎に検出値が所定の閾値以上か否かを判別する（ステップＳ２０３）。セルＰの検出値が閾値以上であれば、当該セルＰに「１」を割り当てメモリ１１３に記憶する（ステップＳ２０４）。一方、セルＰの検出値が閾値未満であれば、当該セルＰに「０」を割り当てメモリ１１３に記憶する（ステップＳ２０５）。各走査電極ＳについてステップＳ２０１〜Ｓ２０５の処理を完了する毎に、全セルＰにデータ（「１」又は「０」）を割り当てたか否かを判別し（ステップＳ２０６）、全セルＰにデータを割り当てた場合には処理を終了し、データを割り当てていないセルＰが有る場合にはステップＳ２０１に戻り、次のデータ電極Ｓに対してステップＳ２０１〜Ｓ２０５の処理を繰り返す。
【００６７】
図１０に示すステップＳ１０５の処理が終了した後、図８のステップＳ１０６に移行する。ステップＳ１０６に於いて、ステップＳ１０５で取得した穴部１０１ｂの座標データ（１次データ）、即ち穴部１０１ｂの位置及び数に基づいて、ＣＰＵ１１２がデータに所定の処理を施し、復号データ（以降、２次データと称する）を形成する。
ステップＳ１０７に於いて、２次データに所定のデータが含まれるか否かを判定する。なお、本実施形態に於いて、所定のデータとは、画像データ、音声データ、及びＵＲＬ情報である。画像データは、文字や図形に関する静止画データ、及び、動画データを含むものとする。音声データは、音声や音楽に関するデータを含むものとする。また、ＵＲＬ情報とは、ネットワーク上に分散しているファイル等の情報資源の格納場所を一意に指定する情報である。
ＣＰＵ１１２は、ステップＳ１０７において２次データに所定のデータが含まれないと判別すると、ステップＳ１０８に移行し、警告音をスピーカ１１０から出力する。また、電子機器１０２において、図１（ｃ）の閉状態で視認可能な位置にＬＥＤ等の発光手段を設けておき、発光手段を発光させて警告を知らせるようにしても良い。アラーム音及び発光手段の発光に加えて第１表示部１０５又は第２表示部１０６に警告表示を表示しても良い。この場合、ユーザは、アラーム音又は発光手段の発光によってカード１０１からの情報取得が失敗したことを認識することができ、電子機器１０２を開状態として警告表示を見て、警告の内容を確認することができる。なお、復号データに所定データが含まれない場合とは、カード１０１を第２表示部１０６上に設置しないまま、情報取得の開始指示が入力された場合を含む。
【００６８】
ＣＰＵ１１２は、ステップＳ１０７において復号データに所定のデータが含まれると判別した場合、ステップＳ１０９（図９参照）に移行する。
【００６９】
ステップＳ１０９に於いて、ＣＰＵ１１２は、復号データに画像データが含まれているか否かを判別する。ＣＰＵ１１２は、復号データに画像データが含まれていると判別する場合には、ステップＳ１１０に移行し、復号データに含まれている画像データをメモリ１１３に一時記憶（バッファ）した後、ステップ１１１に移行する。一方、ＣＰＵ１１２は、復号データに画像データが含まれていないと判別する場合には、ステップＳ１１０に移行せずにステップＳ１１１に移行する。
【００７０】
ステップＳ１１１に於いて、ＣＰＵ１１２は、復号データに音声データが含まれているか否かを判別する。ＣＰＵ１１２は、復号データに音声データが含まれていると判別する場合には、ステップＳ１１２に移行し、復号データに含まれている音声データをメモリ１１３に一時記憶した後、ステップＳ１１３に移行する。一方、ＣＰＵ１１２は、復号データに音声データが含まれていないと判別する場合には、ステップＳ１１２に移行せずにステップＳ１１３に移行する。
【００７１】
ステップＳ１１３に於いて、ＣＰＵ１１２は、復号データにＵＲＬ情報が含まれるか否かを判別する。ＣＰＵ１１２は、復号データにＵＲＬ情報が含まれていると判別する場合には、ステップＳ１１４に移行し、復号データに含まれているＵＲＬ情報をメモリ１１３に一時記憶した後、ステップＳ１１５に移行する。一方、ＣＰＵ１１２は、復号データにＵＲＬ情報が含まれていないと判別する場合には、ステップＳ１１４に移行せずにステップＳ１１５に移行する。
ステップＳ１１５に於いて、ＣＰＵ１１２は、情報取得が完了した旨を知らせる完了音をスピーカ１１０から出力する。なお、完了音を出力する代わりに、電子機器１０２が図１（ｃ）のような閉状態にある場合に視認可能な第１筐体１０３の外側面又は側面、第２筐体１０３の外側面又は側面にＬＥＤ等のランプを設けておき、ランプを点灯するようにしても良い。
ステップＳ１１６に於いて、ＣＰＵ１１２は、完了音の出力に応じてユーザが電子機器１０２を開状態としたか否かを、開閉センサ１１７からの信号によって判別する。ＣＰＵ１１２は、開閉センサ１１７からの検出信号を受信している場合には、電子機器１０２が閉状態であると判別し、ステップＳ１１６の処理を繰り返す。ＣＰＵ１１２は、開閉センサ１１７からの検出信号を受信しなくなった場合には、電子機器１０２が開状態であると判別し、ステップＳ１１７の出力処理を実行する。
【００７２】
ステップＳ１１７に於いて、ＣＰＵ１１２は、画像データをメモリ１１３に記憶している場合に、画像データを第１表示部１０５に出力する処理を実行し、音声データをメモリ１１３に記憶している場合に、音声データをスピーカ１１０から出力する処理を実行する。また、ＣＰＵ１１２は、ＵＲＬ情報をメモリ１１３に一時記憶している場合には、通信ユニット１１６を用いてＵＲＬ情報で指定されるネットワーク上の所定の場所と通信し、当該所定の場所から画像及び／又は音声データを取得してメモリ１１３に記憶し、メモリ１１３から画像及び／又は音声データを読み出し、第１表示部１０５及び／又はスピーカ１１０に出力する。
【００７３】
但し、画像データ、音声データ、ＵＲＬ情報の内、２種類以上のデータが含まれている場合には、データに記憶されている出力順序に従って、データを出力する処理を実行する。ステップＳ１１７の処理が終了すると、ステップＳ１０１に戻る。
【００７４】
なお、ここでは、第１表示部１０５に画像を出力する処理としたが、第２表示部１０６に画像を出力しても良い。この場合には、ステップＳ１１６で電子機器１０２の開状態を検出した後、カード１０１を第２表示部１０６から取り除くことを指示する画像や音声を出力して、第２表示部１０６上のカード１０１を取り除くようにすることが好ましい。また、その後、カード１０１が取り除かれたことを検出してから第２表示部１０６に画像を出力するか、若しくは、カード１０１が取り除かれたことを検出し、操作キー８からのユーザ入力を受け付けてから、第２表示部１０６に画像を出力することが好ましい。また、ステップＳ１１７において、画像、音声を外部の機器（図示せず）に出力するようにしても良い。
【００７５】
また、ステップＳ１１７の処理では、復号データに、画像データ、音声データ、ＵＲＬ情報の内、２種類以上のデータが含まれている場合には、データに記憶されている出力順序に従って、データを出力する処理を実行する。ステップＳ１１７の処理が終了すると、ステップＳ１０１に戻る。
【００７６】
［作用効果］
本実施形態に係る情報取得システム１００では、カード１０１における透過率の異なる領域を利用してカード１０１に情報を記憶することができる。具体的には、カード１０１の板状部１０１ａを透過率の小さい（反射率の大きい）材料で形成し、板状部１０１ａに透過率の大きい領域としての複数の穴部１０１ｂを形成する。複数の穴部１０１ｂのカード１０１上における位置及び数に基づいて、カード１０１に情報を記憶することができる。
【００７７】
また、本実施形態に係る情報取得システム１００では、上記のように情報が記憶されたカード１０１を簡易な方法で取得することが可能である。発光手段としての第１表示部１０５と、光検出手段としての光感知パネル１０７とを備えた電子機器１０２を用いて、簡易な方法でカード１０１の情報を取得することができる。電子機器１０２での情報取得は、カード１０１を光感知パネル１０７上に載置した後、カード１０１に対して光感知パネル１０７と反対側に第１表示部１０５を配置し、第１表示部１０５から出力する光を光感知パネル１０７が検出する。そして、光感知パネル１０７で検出した検出値に基づいて、カード１０１の穴部１０１ｂの座標データ（穴部１０１ｂの位置及び数）を取得し、穴部１０１ｂの位置及び数に基づいて復号データを生成する。そして、生成された復号データは、第１表示部１０５、スピーカ１１０に出力される。従って、ユーザは、操作キー８によりカード情報取得モードを選択し、カード１０１を電子機器１０２の第２表示部１０６上に載置した後、電子機器１０２を閉状態にするのみで、カード１０１から情報を簡易に取得することができる。また、第１表示部１０５（発光手段）、カード１０１、及び光感知パネル１０７（光検出手段）の形状及び大きさが対応するように形成されているので、第１表示部１０５を発光させることにより、カード１０１上の情報が記憶されている領域に一斉に光を照射することができ、光感知パネル１０７ではデータ電極の走査により各セルの光センサの出力を取得するため、カード１０１に記憶された情報を高速に取得することが可能である。
【００７８】
また、カード１０１を、カード情報取得処理の際にカード１０１を設置すべき第２表示部１０６と略同一の大きさ及び形状に形成しているので、ユーザは、カード情報取得処理の際にカード１０１を容易に設置することができる。
【００７９】
また、カード１０１を第２表示部１０６に設置した後、光感知パネル１０７が自動的にカード１０１に記憶されている情報を検出するため、カード１０１における情報の記憶面積が大きい場合にも、確実かつ容易にカード１０１から情報を取得することができる。つまり、従来、ユーザが携帯型の読み取り装置等から赤外線を照射して２次元コード等を取得する場合には、情報の記憶面積が大きいと読み取りが困難になる場合があったが、本実施形態によれば、情報の記憶面積が大きい場合にも確実かつ簡易に情報を取得することができるのである。
【００８０】
また、本実施形態では、穴部１０１ｂの位置及び数に基づいて情報を記憶する構成としたが、穴部１０１ｂを用いて、現在用いられている２次元コードのパターンを描画して情報を記憶することも可能である。
【００８１】
また、本実施形態に係る情報取得システム１００によれば、カード１０１に記憶された所定情報が画像データを含む場合に、画像データを表示部に自動的に出力することができるので、ユーザは、カード１０１から取得した情報を容易に見ることができる。なお、画像データとは、文字、図形等の画像に関するデータを含むデータである。
【００８２】
また、本実施形態に係る情報取得システム１００によれば、カード１０１に記憶された所定情報が音声データを含む場合に、音声出力部から音声データを自動的に出力することが出来るので、ユーザはカード１０１から取得した情報を容易に聞くことができる。なお、音声データとは、音声や音楽に関するデータを含むものとする。
【００８３】
また、本実施形態に係る情報取得システム１００によれば、カード１０１に記憶された所定情報がＵＲＬ情報を含む場合に、通信ユニット１１６を介してインターネットにアクセスし、ＵＲＬに格納されている情報（例えば、所定のウェブサイト）を表示部に自動的に出力することが可能であるので、ユーザは、カード１０１から取得した情報を容易に視認することができる。なお、ＵＲＬ情報とは、ネットワーク上に分散しているファイル等の情報資源の格納場所を一意に指定する情報である。
【００８４】
なお、上記では、画像データ、音声データ、ＵＲＬ情報自体がカード１０１に記憶されている場合を説明したが、画像データ、音声データ、ＵＲＬ情報を指定する指定情報をカード１０１に記憶し、電子機器１０２の内部又は外部の記憶部に指定情報と画像データ、音声データ、ＵＲＬ情報とを対応させたテーブルを記憶しておいても良い。この場合、電子機器１０２は、カード１０１から指定情報を取得し、テーブルを参照して指定情報に対応する画像データ、音声データ又はＵＲＬ情報を抽出し、表示部又は音声出力部に出力する。このような情報処理システムによれば、画像データ、音声データ、ＵＲＬ情報自体をカード１０１に記憶する場合に比較して、表示部又は音声出力部に出力する情報量に対するカード１０１への記憶量を節約することができる。また、カード１０１に記憶されている指定情報を更新しなくても、記憶部のテーブルにおける画像データ、音声データ、ＵＲＬ情報を更新することより、カード１０１の指定情報に基づく情報（画像データ、音声データ、ＵＲＬ情報）を最新状態に保つことができる。
【００８５】
［変形例］
（ａ）上記実施形態では、カード１０１から取得した情報を一時記憶して第１表示部１０５、スピーカ１１０に出力する処理としたが、カード１０１から取得した情報をメモリ１１３の不揮発性メモリに記憶して、メモリ１１３に記憶されているデータを選択して出力できるような構成としても良い。即ち、カード１０１から取得してメモリ１１３の不揮発性領域に記憶されたデータを操作キー８からの信号（ユーザからの入力）に基づいて、表示部や音声出力部に出力するようにしても良い。このようにすれば、カード１０１に記憶されている情報を表示部や音声出力部に出力させる度に、カード１０１から情報の取得処理を行う必要がない。即ち、カード１０１から情報を一度取得すれば、取得した情報を繰り返し使用することができる。また、メモリ１１３に記憶した情報を通信ユニット１１６を介して他の電子機器との間で交換することも可能である。
【００８６】
（ｂ）本実施形態に係る情報取得システム１００によれば、電子機器１０２でゲームソフトを実行する場合に、カード１０１から読み出した情報をゲームソフトとリンクさせることができる。例えば、ゲームのキャラクタ、ゲーム実行条件等をカード１０１に穴部１０１ｂの位置、数に基づいて記憶しておき、カード１０１から電子機器１０２に読み出したゲームのキャラクタ、ゲーム実行条件をゲームソフトで使用すれば、ゲームソフトの内容がカード１０１の情報によって様々に変化するようになる。この場合、ゲームの開始時に、ゲームソフトがカード情報取得モードを自動的に選択し、カード設置指示を表示するようにすることができる。また、カード１０１から情報を取得した後には、自動的にゲームを再開するように構成することができる。
【００８７】
（ｃ）また、カード１０１を名刺として利用し、会社の情報、氏名等の固有情報等をカード１０１に記憶しておけば、電子機器１０２で名刺の画像を表示させることができる。例えば、カード１０１にパスワードの情報も併せて記憶しておけば、カード１０１からは直接視認できない状態で名刺を所持し、必要な相手のみにパスワードを知らせてカード１０１の情報を読みとれるようにすることが可能である。この場合、図８のステップＳ１０２でカード設置指示の画像とともに、パスワード情報の入力指示の画像を表示し、ユーザからパスワードの入力を受け付けるようにすれば良い。
【００８８】
（ｄ）また、上記実施形態では、第１表示部１０５を発光手段として用い、カード１０１に光を一斉に照射したが、カード１０１の一端部から他端部に向かって１ラインずつ露光走査するようにしても良い。例えば、第１表示部１０５の代わりに、図２７に示す発光手段１３０ａを有する走査ユニット１３０を用いても良い。この走査ユニット１３０は、カード１０１の一端部から他端部に向かって１ラインずつ露光走査する。この場合、ＣＰＵ１１２は、走査ユニット１３０の露光走査に同期させて、光感知パネル１０７の走査電極を走査する。
【００８９】
（ｅ）また、上記実施形態では、カード１０１を電子機器１０２で挟んで情報取得処理を行ったが、電子機器１０２を図１（ｂ）の開状態としたまま、外光（自然光）を利用して、カード１０１の透過光を検出するようにしても良い。
【００９０】
（ｆ）また、本実施形態に係る情報取得方法は、図２２（ａ）に示す電子機器１０２に適用可能である。図２２（ａ）の電子機器１０２は、筐体１１８の片面に第１表示部１０５と、光感知パネル１０７及び第２表示部１０６と、を備えている。この電子機器１０２は、図１の電子機器１０２のように開閉状態をとる構成ではない。
【００９１】
このような図２２（ａ）の電子機器１０２にも、本実施形態に係る情報取得方法を適用することができる。即ち、カード１０１を光感知パネル１０７上に設置して、外光を利用してカード１０１から情報を取得し、画像データ、音声データを、内部又は外部の表示部及び音声出力部に出力することができる。なお、第２表示部１０６に情報を出力しない場合には、第２表示部１０６を省略しても良い。
また、本実施形態に係る情報取得方法は、図２２（ｂ）に示す電子機器１０２に適用可能である。図２２（ｂ）の電子機器１０２は、筐体１１８の片面に光感知パネル１０７及び第２表示部１０６を備えている。この電子機器１０２は、１つの表示部のみ、即ち第２表示部１０６のみを備えている。このような図２２（ｂ）の電子機器１０２にも、本実施形態に係る情報取得方法を適用することができる。即ち、カード１０１を光感知パネル１０７上に設置して、外光を利用してカード１０１から情報を取得し、画像データ、音声データを、内部又は外部の表示部及び音声出力部に出力することができる。
【００９２】
（ｇ）上記実施形態では、穴部１０１ｂの位置及び数に基づいて符号化した情報をカード１０１に記憶したが、穴部１０１ｂの位置又は数の何れか１つに基づいて符号化した情報をカード１０１に記憶しても良い。この場合、図８のステップＳ８において、穴部１０１ｂの位置又は数の何れか一方のみを用いて復号データを作成する。
【００９３】
（２）第２実施形態
本実施形態では、カード１０１に大きさの異なる穴部１０１ｂを形成し、穴部１０１ｂの位置及び数に加えて、穴部１０１ｂの大きさに基づいて符号化した情報をカード１０１に記憶する。
【００９４】
［全体構成］
第２実施形態の全体構成については、前述の第１実施形態の全体構成（図１参照）と同様であるので、ここでは説明を省略する。
【００９５】
［カードの構成］
図１１は、第２実施形態に係るカードの斜視図（ａ）と、断面図（ｂ）である。
【００９６】
カード１０１は、板状部１０１ａと、板状部１０１ａに形成された複数の穴部１０１ｂを備えている。板状部１０１は、樹脂形成等により形成されており、光を殆ど透過しない材料により構成されている。穴部１０１ｂは、平面視略円形状であり、板状部１０１ａの第１面１０１ｃから第２面１０１ｄに亘って貫通して形成されている。
【００９７】
本実施形態に於いては、穴部１０１ｂの大きさは、「大」、「小」、２種類の大きさで形成されている。ここでは、穴部１０１ｂの大きさを面積で定義する。「小」の穴部１０１ｂの大きさは面積Ｓａ１であり、「大」の穴部１０１ｂの大きさは面積Ｓａ２（＞Ｓａ１）である。板状部１０１ａは所定数のエリア１０１ｅに分割されており、各穴部１０１ｂはエリア１０１ｅごとに形成されている。なお、各エリア１０１ｅ内に穴部１０１ｂが必ずしも形成される必要はない。本実施形態では、図１２（ｄ）に示すように、カード１０１のエリア１０１ｅは、光感知パネル１０７の５行５列のセルＰの集合に対応するように構成する。
【００９８】
このカード１０１では、穴部１０１ｂの位置及び数に加えて穴部１０１ｂの大きさ（面積）によって、所定の情報が記憶されており、第２面１０１ｄを光感知パネル１０７と対向するように配置し、光感知パネル１０７によりカード１０１を透過する光を検出することにより、穴部１０１ｂの数、位置、及び、面積（大きさ）が検出され、ＣＰＵ１１２に出力される。
【００９９】
［情報取得方法］
本実施形態に係る情報取得方法に関するフローチャートは、前述の第１実施形態に係る情報取得方法に関するフローチャート（図８乃至図１０参照）と略同一であるので、同一部分については説明を省略し、図８乃至図１０、図１２、図１３を参照して、相違点について説明する。
【０１００】
図１２（ａ）は、本実施形態に係る光感知パネル１０７におけるセルの配置を示す図であり、同図（ｂ）は、光感知パネル１０７上のセルＰの座標を示す図であり、同図（ｃ）は、光感知パネル１０７の各セルＰの座標データを示す図である。ここで、Ｐｘｙ（ｘ＝１，・・ｍ，ｙ＝１，・・ｎ）は、ｘ行ｙ列のセルの座標を表すものとする。従って、例えば、同図（ｃ）に示す２行２列に対応する検出値は、セルＰ２２の検出値を表している。
【０１０１】
図１２（ｄ）は、光感知パネル１０７において、エリア１０５ｅに対応するエリアＤの配置を示す図であり、同図（ｅ）は、エリアＤの座標を示す図であり、同図（ｆ）は、エリアＤの座標データ（穴部１０１ｂの面積データ）である。
【０１０２】
図１２（ｄ）では、光感知パネル１０７のセルＰを実線で区画して示しており、エリアＤを破線で示している。
【０１０３】
図１３は、本実施形態に係る情報取得方法に関するフローチャート（図８乃至図１０参照）に於けるステップＳ１０６の処理内容を示すフローチャートである。
【０１０４】
図８に於いて、カード情報取得モードが設定され（Ｓ１０１）、カード設置指示表示（Ｓ１０２）に従い光感知パネル１０７上にカード１０１を設置して電子機器１０２を閉じたことが検出され（Ｓ１０３）、第１表示部１０５が発光されると（Ｓ１０４）、ステップＳ１０５において光感知パネル１０７から検出値の取得、穴部１０１ｂの座標データの作成が行われる。
【０１０５】
例えば、図１２（ａ）に図示されているように、光感知パネル１０７のセルのうち黒色部分で光が検出された場合には、同図（ｂ）に図示された光感知パネル１０７の座標、Ｐ２２、Ｐ２３、Ｐ２４、Ｐ３２、Ｐ３３、Ｐ３４、Ｐ４２、Ｐ４３、Ｐ４４には、同図（ｃ）に図示されているように「１」の値が割り当てられる。光が検出されなかった座標には、「０」が割り当てられる。ＣＰＵ１１２は、光の検出値に関するデータをメモリ１１３の所定領域に記憶する。光感知パネル１０７の全てのセルについて検出値の取得、座標データの作成が終了すると、図８に示すステップＳ１０６に移行する。そして、ステップＳ１０６において、光感知パネル１０７から取得したカード１０１の穴部１０１ｂの位置に関する座標データ（１次データ）（穴部１０１ｂの位置及び座標）、及び穴部１０１ｂの面積に基づいて、ＣＰＵ１１２がデータに所定の処理を施し、復号データ（以降、２次データと称する）を形成する。
【０１０６】
ここで、ステップＳ１０６の処理内容について説明する。前述の通り、本実施形態に於いて、カード１０１に形成された穴部１０１ｂは、板状部１０１ａに於いて所定数に分割されたエリア１０１ｅ内に配置されている。本実施形態では、図１２（ｄ）に図示されているように、エリア１０１ｅは光感知パネル１０７の５行５列のセルＰによって囲まれた領域に対応しており、この領域をエリアＤ（Ｄ１１・・Ｄｍｎ）として設定している。
【０１０７】
図１３に図示されたステップＳ３０１に於いて、ＣＰＵ１１２は、エリアＤ１１から順次、エリアＤに「１」が割り当てられたセルＰが存在するか否かを判別する。ＣＰＵ１１２は、エリアＤに「１」のセルＰが存在すると判別する場合には、ステップＳ３０３を実行する。例えば、図１２（ｃ）、（ｄ）、（ｅ）を参照すると、エリアＤ１１には「１」のセルが９つ存在する。
【０１０８】
ステップＳ３０３では、当該エリアＤに存在する「１」のセルＰが所定数以内か否かを判別する。「１」のセルＰが所定数以内であると判別する場合には、ステップＳ３０４に移行し、当該エリアＤに面積データとして「１」を割り当てメモリ１１３に記憶する。例えば、図１２（ｄ）のＤ２１に「１」を割り当てる。
【０１０９】
一方、ステップＳ３０３において、ＣＰＵ１１２が、当該エリアＤに存在する「１」のセルＰが所定数を超えると判別する場合には、ステップＳ３０５に移行して、当該エリアＤに面積データ「２」を割り当てメモリ１１３に記憶する。例えば、図１２（ｄ）のＤ１１に「２」を割り当てる。
【０１１０】
ステップＳ３０１において、ＣＰＵ１１２が、当該エリアＤに「１」のセルＰが存在しないと判別する場合には、ステップＳ３０２に移行して、当該エリアＤに面積データ「０」を割り当てメモリ１１３に記憶する。例えば、図１２（ｄ）のＤ２２に「０」を割り当てる。
【０１１１】
なお、本実施形態に於いては、ステップＳ３０３での所定数は４である。即ち、エリアＤ内で「１」のセルＰが４つ以内存在する場合には、当該エリアＤに「１」を割り当て、エリアＤ内で「１」のセルＰが５つ以上存在する場合には、当該エリアＤに「２」を割り当てる。言い換えれば、「１」の値を割り当てられたエリアＤには、大きさが「小」の穴部１０１ｂが形成されており、「２」の値を割り当てられたエリアＤには、大きさが「大」の穴部１０１ｂが形成されている。例えば、図１２（ｄ）に図示されているＤ１１においては、「１」のセルＰが９つ有るので、エリアＤ１１に「２」を割り当てる。また、エリアＤ内に「１」のセルＰが存在しない場合には、エリアＤ１１に「０」を割り当てる。「０」が割り当てられるエリアＤには、穴部１０１ｂが形成されていないことを意味する。
【０１１２】
そして、ステップ３０６に於いて、ＣＰＵ１１２は、全てのエリアＤ（Ｄ１１〜Ｄｍｎ）について面積データ（「０」、「１」、「２」）の割り当てが終了したか否かを判別する。全エリアＤ（Ｄ１１〜Ｄｍｎ）について面積データ（「０」、「１」、「２」）の割り当てが終了した場合には、ステップＳ３０７に移行する。一方、全てのエリアＤ（Ｄ１１〜Ｄｍｎ）についてデータの割り当てが終了していない場合には、ステップＳ３０１に戻り、次のエリアＤについてデータの割り当てを行う。
【０１１３】
ステップＳ３０７に於いて、全エリアＤに割り当てられた面積データに関するデータベースを作成し、ステップＳ３０８に移行する。
【０１１４】
ステップＳ３０８に於いて、ＣＰＵ１１２は、ステップＳ１０５で形成された穴部１０１ｂの座標データ（穴部１０１ｂの数及び位置）と、穴部１０１ｂの面積データに関するデータベースとに基づいて所定の処理を施して、復号データを作成し、ステップＳ１０７に移行する。
【０１１５】
［作用効果］
本実施形態に係る情報取得システム１００によれば、第１実施形態と同様の作用効果を奏する。
さらに、本実施形態によれば、カード１０１に形成する穴部１０１ｂの座標データ（穴部１０１ｂの位置及び数）に加えて、穴部１０１ｂの大きさに応じて種々の情報をカード１０１に記憶することが可能である。即ち、穴部１０１ｂの位置及び数に加え、穴部１０１ｂの大きさによっても情報を記憶するため、第１実施形態よりも情報の記憶密度を増大し得る。上記では、穴部１０１ｂの大きさが「大」、「小」の２種類の場合を説明したが、穴部１０１ｂの大きさは３種類以上であっても良い。穴部１０１ｂの大きさの種類を増加させる程、情報の記憶密度をさらに増大し得る。
【０１１６】
［変形例］
上記では、穴部１０１ｂの位置、数及び大きさに基づいて符号化した情報をカード１０１に記憶したが、穴部１０１ｂの大きさのみに基づいて符号化した情報をカード１０１に記憶しても良い。この場合、図１３のステップＳ３０８では、ステップＳ３０７で作成した穴部面積のデータベースのみに基づいて復号データを作成する。
【０１１７】
（３）第３実施形態
第１及び第２実施形態に係る情報取得システム１００では、カード１０１において光の透過率の異なる領域を利用して情報を記憶し、光の透過率の違いを利用してカード１０１から情報を取得する構成とした。本実施形態では、カード１０１において光の反射率の異なる領域を利用して情報を記憶し、光の反射率の違いを利用してカード１０１から情報を取得する。
【０１１８】
［全体構成］
図１４は、第３実施形態に係る情報取得システム１００の全体構成を示す斜視図である。図１５は、第３実施形態に係る情報取得システム１００の概略ブロック図である。
【０１１９】
ここでは、第１実施形態に係る図１と同様の構成には同一の符号を付し、説明を省略する。本実施形態に係る情報取得システム１００は、第１実施形態に係る光感知パネル１０７の代わりに、走査ユニット１２０を備えている。
【０１２０】
[走査ユニット]
図１６は、走査ユニット１２０の斜視図である。
【０１２１】
走査ユニット１２０は、図１４に示すように第２筐体１０４に配置されており、光を良好に透過するフィルム１１９によって覆われている。このフィルム１１９上には、カード情報取得の際に、カード１０１が設置される。走査ユニット１２０は、ハロゲンランプ、ＬＥＤ等で構成される発光手段１２０ａと、発光手段１２０ａにより露光走査されたカード１０１からの反射光を集光し、光センサに入力する為のロッドアレイレンズ１２０ｂと、ロッドアレイレンズ１２０ｂから入力される光を検出するラインセンサ１２０ｃとを備えている。走査ユニット１２０は、カード１０１がフィルム１１９上に設置された状態でカード１０１を１ライン分ずつ露光走査し、カード１０１からの反射光を検出し、その検出値をＣＰＵ１１２に出力する。
【０１２２】
なお、本実施形態では、走査ユニット１２０の下方に第２表示部１０６が配置されているので、走査ユニット１２０は、カード情報取得時以外は、第２表示部１０６の視認を妨げない位置に退避しているように制御する。
【０１２３】
［カードの構成］
第３実施形態に係るカード１０１の構成も、図６に示す第１実施形態に係るカード１０１の構成と同様であるので、説明を省略する。但し、本実施形態では、光感知パネル１０７に対向して配置されるカード１０１の第２面１０１ｄの反射率が十分大きくなるように、板状部１０１ａを形成している。より詳細には、板状部１０１ａの第２面１０１ｄの反射率は、第２面１０１ｄでの反射光の検出値が、穴部１０１ｂでの反射光の検出値と区別できる程度に十分大きくする。
【０１２４】
[カードでの反射光を利用した情報取得原理]
図１７は、カードでの反射光を利用した情報取得原理を説明する説明図である。
【０１２５】
カード情報取得時において、カード１０１は、図１４（ｂ）に示すように、フィルム１１９上に設置される。このとき、カード１０１は、第１実施形態と同様に、第２面１０１ｄがフィルム１１９上に設置される。走査ユニット１２０が駆動され、カード１０１への露光走査が開始されると、図１７に示すように、板状部１０１ａ（穴部１０１ｂ以外の領域）において、走査ユニット１２０の発光手段１２０ａからの光（矢印ａ）は、反射率の高い板状部１０１ａで反射され、殆どの入射光が反射光（矢印ｂ）となり、強い反射光が走査ユニット１２０のラインセンサ１２０ｃで検出される。一方、穴部１０１ｂでは、走査ユニット１２０の発光手段１２０ａからの光（矢印ｃ）は、穴部１０１ｂを殆ど透過して、弱い反射光が走査ユニット１２０のラインセンサ１２０ｃで検出される。このような、板状部１０１ａの反射率と、穴部１０１ｂの反射率との差異を利用して、カード１０１に情報を記憶し、カード１０１から情報を取得する。
【０１２６】
［情報取得方法］
図１８は、本実施形態に係る情報取得方法に関するフローチャートである。
【０１２７】
以下の処理は、電子機器１０２のメモリ１１３に記憶されている情報取得プログラムをＣＰＵ１１２が実行することにより行われる。なお、情報取得プログラムは、記録媒体１１４ａに記憶されている場合もあり、通信ユニット１１６によりネットワーク上から取得される場合もある。
【０１２８】
ステップＳ４０１に於いて、ＣＰＵ１１２は、操作キー１０８からカード情報取得モードへの切り替えを受け付けたか否かを判別する。ＣＰＵ１１２は、カード情報取得モードへの切り替えを受け付けた場合にはステップＳ４０２に移行する。ＣＰＵ１１２は、カード情報取得モードへの切り替えを受け付けていない場合には、ステップＳ４０１の処理を繰り返す。
【０１２９】
ステップＳ４０２に於いて、ＣＰＵ１１２は、カード１０１のフィルム１１９上への設置を指示する指示画像を第２表示部１０６に表示する。この指示画像は、例えば、「カードをここに置いて下さい」等である。指示画像は、第１表示部１０５に出力しても良い。この場合の指示画像は、例えば、「カードを下の画面上に置いて下さい」等である。
【０１３０】
ステップＳ４０３に於いて、ＣＰＵ１１２は、操作キー１０８等から情報取得の開始指示があったか否かを判別する。ＣＰＵ１１２は、開始指示があったと判別する場合に、ステップＳ４０４に移行する。即ち、ステップＳ４０２の指示画像に応じて、カード１０１がフィルム１１９上に設置された後、操作キー１０８から開始指示が入力された場合には、ステップＳ４０４に移行する。
【０１３１】
ステップＳ４０４では、ＣＰＵ１１２は、走査ユニット１２０を駆動してカード１０１から穴部１０１ｂの座標データ（位置及び数）を検出する。
【０１３２】
図２０は、ステップＳ４０４の処理を示すフローチャートである。ステップＳ５０１に於いて、ＣＰＵ１１２は、走査ユニット１２０を駆動して１ライン分の検出値を取得する。ここで、１ライン分は、図５（ａ）、（ｂ）に示す第１実施形態における光感知パネル１０７のセルＰの１列分と等しいとする。従って、以下の説明では、ＣＰＵ１１２が走査ユニット１２０から取得する座標の間隔、即ち走査ユニット１２０の解像度は、図５（ａ）（ｂ）に示すセルＰに等しいものとして説明する。
【０１３３】
ステップＳ５０２では、ＣＰＵ１１２は、ステップＳ５０１で取得した１ライン分の座標の検出値を所定の閾値と順次比較する。ＣＰＵ１１２は、検出値が閾値以上と判別すると、当該座標に「０」（穴部１０１ｂが形成されていないことを示す）を割り当て、図５（ｃ）に示すように、当該座標と「０」とを対応づけてメモリ１１３に記憶する（ステップＳ５０３）。一方、ＣＰＵ１１２は、検出値が閾値未満と判別すると、当該座標に「１」（穴部１０１ｂが形成されていることを示す）を割り当て、当該座標と「１」とを対応づけてメモリ１１３に記憶する（ステップＳ５０４）。
【０１３４】
ステップＳ５０５では、ＣＰＵ１１２は、カード１０１の全領域を走査したか否かを判別する。ＣＰＵ１１２は、カード１０１の全領域を走査したと判別する場合に、ステップＳ４０４の処理を終了し、図１８に図示されたステップＳ４０５に移行する。一方、ＣＰＵ１１２は、カード１０１の全領域を未だ走査し終わっていないと判別する場合に、ステップＳ５０１に戻り、走査ユニット１２０に次の１ライン分を走査させる。
【０１３５】
以上のステップＳ５０１からＳ５０５の処理により、図５（ｃ）に示すようなカード１０１の穴部１０１ｂの座標データを取得する。図５（ｃ）中、「１」の座標Ｐが「穴部１０１ｂが形成された座標」であり、「０」の座標Ｐが「穴部１０１ｂが形成されていない座標」である。
【０１３６】
ステップＳ４０５に於いて、ＣＰＵ１１２は、ステップＳ４０４で取得した穴部１０１ｂの座標データ（１次データ）に所定の処理を施し、復号データ（２次データ）を作成する。具体的には、座標データから得られる穴部１０１ｂの位置及び数に基づいて、復号データを作成する。
ステップＳ４０６に於いて、復号データに所定のデータが含まれるか否かを判定する。
本実施形態に於いて、所定のデータとは、画像データ、音声データ、及びＵＲＬ情報である。画像データは、文字や図形に関する静止画データ、及び、動画データを含むものとする。音声データは、音声や音楽に関するデータを含むものとする。また、ＵＲＬ情報とは、ネットワーク上に分散しているファイル等の情報資源の格納場所を一意に指定する情報である。
【０１３７】
ステップＳ４０６において、ＣＰＵ１１２は、復号データに所定のデータが含まれないと判別すると、ステップＳ４０７に移行する。ステップＳ４０７に於いて、ＣＰＵ１１２は、第１表示部１０５に警告表示を出力する。警告表示の出力に代えて、又は警告音の表示とともに、スピーカ１１０から警告音を発生させても良い。ユーザは、この処理による警告表示又は警告音によって、カード１０１からの情報取得が失敗したと知ることができる。なお、復号データに所定データが含まれない場合とは、カード１０１をフィルム１１９上に設置しない状態で、情報取得の開始指示が入力された場合を含む。そして、ＣＰＵ１１２は、ステップＳ４０７の処理を実行後、ステップＳ４０１に戻る。
【０１３８】
一方、ステップＳ４０６において、ＣＰＵ１１２が復号データに所定のデータが含まれると判別した場合、ステップＳ４０８に移行する。
【０１３９】
図１９に図示されたステップＳ４０８に於いて、ＣＰＵ１１２は、復号データに画像データが含まれているか否かを判別する。ＣＰＵ１１２は、復号データに画像データが含まれていると判別する場合には、ステップＳ４０９に移行する。ステップＳ４０９に於いて、ＣＰＵ１１２は、復号データに含まれている画像データをメモリ１１３に一時記憶した後、ステップＳ４１０に移行する。一方、ＣＰＵ１１２は、復号データに画像データが含まれていないと判別する場合には、ステップＳ４０９に移行せずにステップＳ４１０に移行する。
【０１４０】
ステップＳ４１０に於いて、ＣＰＵ１１２は、復号データに音声データが含まれているか否かを判別する。ＣＰＵ１１２は、復号データに音声データが含まれていると判別する場合には、ステップＳ４１１に移行する。ステップＳ４１１に於いて、ＣＰＵ１１２は、復号データに含まれている音声データをメモリ１１３に一時記憶した後、ステップＳ４１２に移行する。一方、ＣＰＵ１１２は、復号データに音声データが含まれていないと判別する場合には、ステップＳ４１１に移行せずにステップＳ４１２に移行する。
【０１４１】
ステップＳ４１２に於いて、ＣＰＵ１１２は、復号データにＵＲＬ情報が含まれるか否かを判別する。ＣＰＵ１１２は、復号データにＵＲＬ情報が含まれていると判別する場合には、ステップＳ４１３に移行する。ステップＳ４１３に於いて、ＣＰＵ１１２は、復号データに含まれているＵＲＬ情報をメモリ１１３に一時記憶して、ステップＳ４１４に移行する。一方、ＣＰＵ１１２は、復号データにＵＲＬ情報が含まれていないと判別する場合には、ステップＳ４１３に移行することなくステップＳ４１４に移行する。
【０１４２】
ステップＳ４１４に於いて、ＣＰＵ１１２は、画像データをメモリ１１３に記憶している場合に、画像データを第１表示部１０５に出力する処理を実行する。また、ＣＰＵ１１２は、音声データをメモリ１１３に記憶している場合に、音声データをスピーカ１１０から出力する処理を実行する。また、ＣＰＵ１１２は、ＵＲＬ情報をメモリ１１３に一時記憶している場合には、通信ユニット１１６を用いてＵＲＬ情報で指定されるネットワーク上の所定の場所と通信し、当該所定の場所から画像及び／又は音声データを取得してメモリ１１３に記憶し、メモリ１１３から画像及び／又は音声データを読み出して、第１表示部１０５及び／又はスピーカ１１０に出力する。
【０１４３】
なお、ここでは、第１表示部１０５に画像を出力する処理としたが、第２表示部１０６に画像を出力しても良い。この場合には、情報取得処理中、第２表示部１０６上方にカード１０１が設置されているので、各データのバッファ後に、完了音又は完了表示をして、ユーザにカード１０１をフィルム１１９から外すことを指示することが好ましい。また、その後、カード１０１が取り除かれたことを検出して、又は操作キー８からの入力に基づいて、第２表示部１０６に画像を出力することが好ましい。また、ステップＳ４１４において、画像、音声を外部の機器（図示せず）に出力するようにしても良い。
【０１４４】
また、ステップＳ４１４の処理では、復号データに、画像データ、音声データ、ＵＲＬ情報の内、２種類以上のデータが含まれている場合には、データに記憶されている出力順序に従って、データを出力する処理を実行する。ステップＳ４１４の処理が終了すると、ステップＳ４０１に戻る。
【０１４５】
［作用効果］
本実施形態に係る情報取得システム１００では、カード１０１における反射率の異なる領域を利用してカード１０１に情報を記憶することができる。具体的には、カード１０１の板状部１０１ａを反射率の大きい材料で形成し、板状部１０１ａに反射率の小さい複数の穴部１０１ｂを形成する。複数の穴部１０１ｂのカード１０１における位置及び数に基づいて符号化した情報をカード１０１に記憶することができる。
【０１４６】
また、本実施形態に係る情報取得システム１００では、カード１０１に記憶された情報を簡易かつ確実に取得することが可能である。具体的には、カード１０１をフィルム１１９上に設置し、走査ユニット１２０によりカード１０１を露光走査することにより、カード１０１の穴部１０１ｂの座標データを取得し、座標データから得られる穴部１０１ｂの位置及び数に基づいて、カード１０１に記憶されている情報を復号する。そして、復号したデータを自動的に表示部及び音声出力部に出力する。従って、ユーザは、カード１０１をフィルム１１９上に設置して開始指示するのみで簡易かつ確実にカード１０１から情報を取得することができる。
【０１４７】
また、カード１０１を、カード情報取得処理の際にカード１０１を設置すべきフィルム１１９と略同一の大きさ及び形状に形成しているので、ユーザは、カード情報取得処理の際にカード１０１を容易に設置することができる。
【０１４８】
また、カード１０１をフィルム１１９に設置した後、走査ユニット１２０が自動的にカード１０１に記憶されている情報を検出するため、カード１０１における情報の記憶面積が大きい場合にも、確実かつ容易にカード１０１から情報を取得することができる。つまり、従来、ユーザが携帯型の読み取り装置等から赤外線を照射して２次元コード等を取得する場合には、情報の記憶面積が大きいと読み取りが困難になる場合があったが、本実施形態によれば、情報の記憶面積が大きい場合にも確実かつ簡易に情報を取得することができるのである。
【０１４９】
また、本実施形態では、穴部１０１ｂの位置及び数に基づいて情報を記憶する構成としたが、穴部１０１ｂを用いて、現在用いられている２次元コードのパターンを描画して情報を記憶することも可能である。
【０１５０】
また、本実施形態に係る情報取得システム１００によれば、カード１０１に記憶された所定情報が画像データを含む場合に、画像データを表示部に自動的に出力することができるので、ユーザは、カード１０１から取得した情報を容易に視認することができる。なお、画像データとは、文字、図形等の画像に関するデータを含むデータである。
【０１５１】
また、本実施形態に係る情報取得システム１００によれば、カード１０１に記憶された所定情報が音声データを含む場合に、音声出力部から音声データを自動的に出力することが出来るので、ユーザは、カード１０１から取得した情報を容易に聞くことができる。なお、音声データとは、音声や音楽に関するデータを含むものとする。
【０１５２】
また、本実施形態に係る情報取得システム１００によれば、カード１０１に記憶された所定情報がＵＲＬ情報を含む場合に、通信ユニット１１６を介してインターネットにアクセスし、ＵＲＬに格納されている情報（例えば、所定のウェブサイト）を表示部に自動的に出力することが可能であるので、ユーザは、カード１０１から取得した情報を容易に視認することができる。なお、ＵＲＬ情報とは、ネットワーク上に分散しているファイル等の情報資源の格納場所を一意に指定する情報である。
【０１５３】
本実施形態に係る情報取得システム１００では、電子機器１０２を開状態のままでカード１０１から情報を取得することができる。従って、カード１０１をフィルム１１９上に設置して電子機器１０２を閉じる操作、情報取得後に電子機器１０２を開く操作が省略される。
【０１５４】
[変形例]
（ａ）上記実施形態では、カード１０１から取得した情報を一時記憶して第１表示部１０５、スピーカ１１０に出力する処理としたが、カード１０１から取得した情報をメモリ１１３の不揮発性メモリに記憶して、メモリ１１３に記憶されているデータを選択して出力できるような構成としても良い。即ち、カード１０１から取得してメモリ１１３の不揮発性領域に記憶されたデータを操作キー８からの信号（ユーザからの入力）に基づいて、表示部や音声出力部に出力するようにしても良い。このようにすれば、カード１０１に記憶されている情報を表示部や音声出力部に出力させる度に、カード１０１から情報の取得処理を行う必要がない。即ち、カード１０１から情報を一度取得すれば、取得した情報を繰り返し使用することができる。また、メモリ１１３に記憶した情報を通信ユニット１１６を介して他の電子機器との間で交換することも可能である。
【０１５５】
（ｂ）本実施形態に係る情報取得システム１００によれば、電子機器１０２でゲームソフトを実行する場合に、カード１０１から読み出した情報をゲームソフトとリンクさせることができる。例えば、ゲームのキャラクタ、ゲーム実行条件等をカード１０１に穴部１０１ｂの位置、数に基づいて記憶しておき、カード１０１から電子機器１０２に読み出したゲームのキャラクタ、ゲーム実行条件をゲームソフトで使用すれば、ゲームソフトの内容がカード１０１の情報によって様々に変化するようになる。この場合、ゲームの開始時に、ゲームソフトがカード情報取得モードを自動的に選択し、カード設置指示を表示するようにすることができる。また、カード１０１から情報を取得した後には、自動的にゲームを再開するように構成することができる。
【０１５６】
（ｃ）また、カード１０１を名刺として利用し、会社の情報、氏名等の固有情報等をカード１０１に記憶しておけば、電子機器１０２で名刺の画像を表示させることができる。例えば、カード１０１にパスワードの情報も併せて記憶しておけば、カード１０１からは直接視認できない状態で名刺を所持し、必要な相手のみにパスワードを知らせてカード１０１の情報を読みとれるようにすることが可能である。この場合、図１８に示されたステップＳ４０２において、カード設置指示の画像とともに、パスワード情報の入力指示の画像を表示し、ユーザからパスワードの入力を受け付けるようにすれば良い。
【０１５７】
（ｄ）また、カード１０１をフィルム１１９に設置した後、電子機器を閉状態としてから、情報取得処理を行うようにしても良い。この場合、図２１に示すように、走査ユニット１２０から穴部１０１ｂを透過した光が、第１表示部１０５で反射されて反射光が走査ユニット１２０に戻る。従って、第１表示部１０５での反射光の強度と、板状部１０１ａでの反射光の強度との差異が走査ユニット１２０で検出できるように構成する。即ち、第１表示部１０５での反射光と、板状部１０１ａでの反射光との光路差を考慮して、第１表示部１０５での反射率と、板状部１０１ａでの反射率とを適切に設定する。この場合には、カード１０１を電子機器１０２で挟み込んで情報取得処理を行うため、カード１０１の穴部１０１ｂから入射する外光の強度が強い場合にも、カード１０１上での反射光の強度を確実に検出することができる。
また、カード１０１を電子機器１０２で挟む代わりに、カード１０１の第１面１０１ｃに反射率の小さい板状部１０１ａを設けて、穴部１０１ｂに外光が入射しない構成としても良い。
【０１５８】
（ｅ）また、本実施形態に係る情報取得方法は、図２２（ａ）に示す電子機器１０２に適用可能である。図２２（ａ）の電子機器１０２は、筐体１１８の片面に第１表示部１０５と、フィルム１１９、走査ユニット１２０及び第２表示部１０６と、を備えている。この電子機器１０２は、図１４の電子機器１０２のように開閉状態をとる構成ではない。このような図２２（ａ）の電子機器１０２にも、本実施形態に係る情報取得方法を適用することができる。即ち、カード１０１をフィルム１１９上に設置して上記同様に、カード１０１から情報を取得し、画像データ、音声データを内部又は外部の表示部及び音声出力部に出力することができる。なお、第２表示部１０６に情報を出力しない場合には、第２表示部１０６を省略しても良い。
【０１５９】
また、本実施形態に係る情報取得方法は、図２２（ｂ）に示す電子機器１０２に適用可能である。図２２（ｂ）の電子機器１０２は、筐体１１８の片面にフィルム１１９、走査ユニット１２０及び第２表示部１０６を備えている。この電子機器１０２は、１つの表示部のみ、即ち第２表示部１０６のみを備えている。このような図２２（ｂ）の電子機器１０２にも、本実施形態に係る情報取得方法を適用することができる。即ち、カード１０１をフィルム１１９上に設置して上記同様に、カード１０１から情報を取得し、画像データ、音声データを内部又は外部の表示部及び音声出力部に出力することができる。
【０１６０】
（ｆ）また、本実施形態における走査ユニット１２０、第２表示部１０６に代えて、イメージセンサ付きのＬＣＤを用いてもよい。
【０１６１】
（ｇ）また、第２実施形態に係る大きさの異なる穴部１０１ｂが形成されたカード１０１を、第３実施形態に係るカード１０１における反射率の異なる領域を利用する情報の記憶及び取得方法に適用することができる。この場合、情報取得システム１０１の全体構成は第３実施形態と同様であり、本実施形態に係るカード１０１は第２実施形態と同様である。
【０１６２】
この場合の情報取得処理は、図１８乃至図２０と同様である。ただし、ここでは、大きさの異なる穴部１０１ｂが形成されたカード１０１を用いるため、図１８に図示されたステップＳ４０５の処理が第３実施形態と異なる。即ち、本実施形態に係るステップＳ４０５では、第２実施形態に係る図１３のフローチャートを用いる。これにより、穴部１０１ｂの位置及び数に加えて、穴部１０１ｂの面積（大きさ）に基づいて、カード１０１に記憶された情報を復号することができる。
【０１６３】
（４）第４実施形態
本実施形態では、カード１０１の穴部１０１ｂにカラーフィルタ１０１ｆ又は１０１ｇを設け、穴部１０１ｂを透過する光の色を用いて、カード１０１に情報を記憶及びカード１０１から情報を取得する。このカラーフィルタ１０１ｆ、１０１ｇは、例えば、セロファンで構成される。本実施形態では、カード１０１の穴部１０１ｂの位置及び数に加えて色に基づいて、カード１０１に情報を記憶及びカード１０１から情報を取得する。また、本実施形態では、カード１０１の穴部１０１ｂの位置、数、大きさに加えて、色に基づいて符号化した情報をカード１０１に記憶させると共に、カード１０１の穴部１０１ｂの位置、数、大きさに加えて、色に基づいて、カード１０１に記憶されている情報を復号する。
【０１６４】
図２３は、第４実施形態に係るカード１０１の断面図である。
図２３（ａ）のカード１０１は、板状部１０１ａの何れか一方の面に、カラーフィルタ１０１ｆが設けられている。このカラーフィルタ１０１ｆは、所定数の色の部分を有している。カラーフィルタ１０１ｆは、穴部１０１ｂに対応する部分毎に、上記所定数の色のうち、何れかの色で形成されている。従って、このカード１０１の穴部１０１ｂに入射する光は、上記所定数の色の内、何れかの色となって出力される。これにより、カード１０１の穴部１０１ｂの位置及び数に加えて色を用いて、カード１０１に情報を記憶させると共に、該カード１０１に記憶させた情報を取得することが可能となる。また、カード１０１の穴部１０１ｂの位置、数、大きさに加えて、色に基づいて符号化した情報をカード１０１に記憶させると共に、カード１０１の穴部１０１ｂの位置、数、大きさに加えて、色に基づいて、該カード１０１に記憶させた情報を復号して取得することが可能となる。
【０１６５】
図２３（ｂ）のカード１０１は、穴部１０１ｂにカラーフィルム１０１ｇが埋め込まれている。このカラーフィルム１０１ｇは、所定数の色のうち何れかの色で形成されている。従って、このカード１０１の穴部１０１ｂに入射する光は、上記所定数の色のうち何れかの色となって出力される。これにより、カード１０１の穴部１０１ｂの位置及び数に加えて色に基づいて情報をカード１０１に記憶し、また、カード１０１に記憶されている情報を、カード１０１の穴部１０１ｂの位置及び数に加えて色に基づいて復号することが可能となる。また、カード１０１の穴部１０１ｂの位置、数、大きさに加えて、色に基づいて符号化した情報をカード１０１に記憶するとともに、カード１０１に記憶されている情報を、カード１０１の穴部１０１ｂの位置、数、大きさに加えて色に基づいて復号することが可能となる。
【０１６６】
[情報取得方法]
図２４は、本実施形態における穴部１０１ｂの色を検出する原理を説明する説明図である。
【０１６７】
図２４は、第１実施形態に係る光感知パネル１０７上にカラーフィルタ１０７ａを配置した構成である。この構成では、カラーフィルタ１０７ａを介して光感知パネル１０７上にカード１０１が設置される。また、カード情報取得時に於いて、カード１０１に対して光感知パネル１０７と反対側に第１表示部１０５が配置されている。図２５に示すように、カラーフィルタ１０７ａは、光感知パネル１０７の各セルＰごとにＲ（赤）、Ｇ（緑）、Ｂ（青）が対応するように配置されている。光感知パネル１０７の各セルＰとＲＧＢとの対応関係は、メモリ１１３に予め記憶している。また、隣接するＲＧＢのセルの集合を画素ＰＰとする。光感知パネル１０７への入射光の色は、画素ＰＰ単位で決定する。穴部１０１ｂの色は、予め所定数決められている。所定数の色の各色は、画素ＰＰにおけるＲＧＢのセルの検出値の比で決定される。各色と、ＲＧＢの検出値の比とは対応付けられて、色テーブルとしてメモリ１１３に記憶されている。
【０１６８】
図２４を参照すると、第１表示部１０５から穴部１０１ｂに入射した光は、穴部１０１ｂの色を決めるカラーフィルタ１０１ｆ（黄色）を通過し、ＲＧＢ分離用のカラーフィルタ１０７でＲＧＢ各色に分離され、光感知パネル１０７に入射する。ＣＰＵ１１２は、光感知パネル１０７から各セルの検出値を取得し、画素ＰＰ毎にＲＧＢ各セルの検出値の比を算出し、メモリ１１３に記憶されている色テーブルから、検出値の比に対応する色を決定する。そして、当該画素ＰＰの座標と、検出光の色とを対応付けて、色データベースを作成する。
【０１６９】
このような色データベースを、第１実施形態に係る図８のＳ１０６に適用すれば、穴部１０１ｂの位置及び数に加え、穴部１０１ｂの色に基づいて符号化した情報をカード１０１に記憶させると共に、カード１０１に記憶している情報を、カード１０１の穴部１０１ｂの位置及び数に加え、穴部１０１ｂの色に基づいて復号する。
【０１７０】
また、色データベースを、第２実施形態に係る図１３のステップＳ３０８に適用すれば、穴部１０１ｂの位置及び数、面積データ（穴部１０１ｂの大きさ）に加えて、穴部１０１ｂの色に基づいて符号化した情報をカード１０１に記憶させると共に、カード１０１に記憶させた情報を、穴部１０１ｂの位置及び数、面積データ（穴部１０１ｂの大きさ）に加えて、穴部１０１ｂの色に基づいて復号化することができる。
なお、光感知パネル１０７を用いる代わりに、第３実施形態に係る走査ユニット１２０を用いて穴部１０１ｂの色を検出しても良い。この場合、走査ユニット１２０のラインセンサ１２０ｃには、フルカラーセンサを用いる。
【０１７１】
［変形例］
上記では、穴部１０１ｂの位置、数及び色に基づいて符号化した情報をカード１０１に記憶、又は、穴部１０１ｂの位置、数、大きさ及び色に基づいて符号化した情報をカード１０１に記憶させたが、穴部１０１ｂの色のみに基づいて符号化した情報をカード１０１に記憶させても良い。
【０１７２】
（５）第５実施形態
第１乃至第４実施形態では、穴部１０１ｂの位置、数、大きさ、色の少なくとも１つに基づいて符号化した情報をカード１０１に情報を記憶させ、また、カード１０１に記憶されている情報を、穴部１０１ｂの位置、数、大きさ、色の少なくとも１つに基づいて復号する構成であるが、カード１０１上における穴部１０１ｂの配列自体が画像を構成するように、カード１０１に穴部１０１ｂを形成しても良い。
図２６は、穴部の配列自体が画像を構成するカードの一例である。図２６（ｂ）に示すように、カード１０１上に配列された穴部１０１ｂより、図２６（ａ）に示すような飛行機の画像を構成している。なお、図２６（ａ）に示された画像の全体を塗りつぶすように穴部１０１ｂを配置しても良いし、輪郭に沿って穴部１０１ｂを配置しても良い。
【０１７３】
本実施形態のカード１０１を第１乃至第３実施形態の何れかに適用した場合、穴部１０１ｂの座標データ（図５（ｃ）又は図１２（ｃ））を取得し、座標データ自体を２値画像として表示部に出力することができる。この場合、座標データの取得が完了した座標から順次表示部に出力し、カード１０１の穴部１０１ｂのうち、取得された部分から順次画像が描画される様子を演出することができる。
【０１７４】
また、本実施形態のカード１０１を第４実施形態に適用すれば、穴部１０１ｂの色に対応して、カラーの画像を表示することが可能になる。
【図面の簡単な説明】
【０１７５】
【図１】第１実施形態に係る情報取得システムの斜視図。
【図２】第１実施形態に係る情報取得システムの概略ブロック図。
【図３】第１実施形態に係る光感知パネルの配置を示す斜視図。
【図４】第１実施形態に係る光感知パネルの概略平面図。
【図５】第１実施形態に係る光感知パネルのセルの配置（ａ）、セルの座標（ｂ）、座標データ（ｃ）を表す図。
【図６】第１実施形態に係るカードの斜視図（ａ）、断面図（ｂ）。
【図７】第１実施形態に係るカードからの情報の取得原理を説明する説明図。
【図８】第１実施形態に係る情報取得処理のフローチャート。
【図９】第１実施形態に係る情報取得処理のフローチャート。
【図１０】第１実施形態に係る座標データの検出処理のフローチャート。
【図１１】第２実施形態に係るカードの斜視図（ａ）、断面図（ｂ）。
【図１２】第２実施形態に係る光感知パネルのセルの配置（ａ）、セルの座標（ｂ）、座標データ（ｃ）、エリアの配置（ｄ）、エリアの座標（ｅ）、面積データ（ｆ）を表す図。
【図１３】第２実施形態に係る復号データ作成処理のフローチャート。
【図１４】第３実施形態に係る情報取得システムの斜視図。
【図１５】第３実施形態に係る情報取得システムの概略ブロック図。
【図１６】第３実施形態に係る走査ユニットの斜視図。
【図１７】第３実施形態に係るカードからの情報の取得原理を説明する説明図。
【図１８】第３実施形態に係る情報取得処理のフローチャート。
【図１９】第３実施形態に係る情報取得処理のフローチャート。
【図２０】第３実施形態に係る座標データの検出処理のフローチャート。
【図２１】変形例に係るカードからの情報の取得原理を説明する説明図。
【図２２】変形例に係る電子機器を示す斜視図。
【図２３】第４実施形態に係るカードの断面図。
【図２４】第４実施形態に係るカードからの情報の取得原理を説明する説明図。
【図２５】第４実施形態に係る光感知パネルの概略平面図。
【図２６】第５実施形態に係るカード上の穴部の配列。
【図２７】変形例に係る発光手段を示す斜視図。
【符号の説明】
【０１７６】
１００      情報取得システム
１０１      カード
１０１ａ    板状部
１０１ｂ    穴部
１０１ｃ    第１面
１０１ｄ    第２面
１０１ｅ    エリア
１０１ｆ、ｇ  カラーフィルタ
１０２      電子機器
１０３      第１筐体
１０４      第２筐体
１０５      第１表示部
１０６      第２表示部
１０７      光感知パネル
１０７ａ    カラーフィルタ
１０８      操作キー
１０９      電源部
１１０      スピーカ
１１１      マイク
１１２      ＣＰＵ
１１３      メモリ
１１４      インターフェース
１１４ａ    外部メモリ
１１５      リアルタイムクロック
１１６      通信ユニット
１１７      開閉センサ
１１８      筐体
１１９      フィルム
１２０      走査ユニット
１２０ａ    発光手段
１２０ｂ    ロッドラインレンズ
１２０ｃ    ラインセンサ
【図１】
2006185337.tif 000003
【図２】
2006185337.tif 000004
【図３】
2006185337.tif 000005
【図４】
2006185337.tif 000006
【図５】
2006185337.tif 000007
【図６】
2006185337.tif 000008
【図７】
2006185337.tif 000009
【図８】
2006185337.tif 000010
【図９】
2006185337.tif 000011
【図１０】
2006185337.tif 000012
【図１１】
2006185337.tif 000013
【図１２】
2006185337.tif 000014
【図１３】
2006185337.tif 000015
【図１４】
2006185337.tif 000016
【図１５】
2006185337.tif 000017
【図１６】
2006185337.tif 000018
【図１７】
2006185337.tif 000019
【図１８】
2006185337.tif 000020
【図１９】
2006185337.tif 000021
【図２０】
2006185337.tif 000022
【図２１】
2006185337.tif 000023
【図２２】
2006185337.tif 000024
【図２３】
2006185337.tif 000025
【図２４】
2006185337.tif 000026
【図２５】
2006185337.tif 000027
【図２６】
2006185337.tif 000028
【図２７】
2006185337.tif 000029